(57)【要約】その内部の加圧ガスを用いて前記マルチカラーテープやペーパーパウダー（紙ふぶき）を放出することを目的に設計された以下から成る本発明のパーティーテープポッパー。ネジ式撃針を有する閉鎖プラグが取り付けられ、その内部に加圧ガス注入穴が設置され、さらに、その内部直径に加圧ガスカートリッジが挿入されているガス発生部と、その下端部にて前記加圧ガス注入穴にリンクされ、さらに、その上端部にて加圧ガス放出穴にリンクされた起動穴と、前記起動穴の上部に位置し、その一端で前記ロータリ軸によって起動されるハンドルと、その下部に向かって小さくなる、前記起動穴に設置される突出キー斜面と、前記装置の下部に設置された引き金のバネによって上に向かってトリガされるキーピンと、前記キーピンよりも大きな直径を有し、前記キー斜面の上部に設置されるキーリングと、前記起動穴の上部を閉鎖することによって前記キーピンの上部をその中心に上昇させる昇降穴を有する起動穴プラグと、前記キーリングと前記起動穴プラグとの間の前記キーピンに挿入され、前記加圧ガス放出穴を貫通する複数の貫通長穴を形成する、前記キーピンよりも大きな直径を有するスペーサーと、前記加圧ガス放出穴の端部に挿入溝を有し、かつ前記ガス放出穴の他端にその弾性がバネによって制御される吊りピンを有するテープ支管閉鎖部。当該テープ支管の閉鎖部には、その両端がスポンジまたは板紙によって閉鎖されている小型で紙ベースのシリンダーがある。前記シリンダー内部には、複数のマルチカラーテープやペーパーパウダー（紙ふぶき）を含むテープロールがある。また、前記吊りピンを設置可能な挿入穴を有する前記加圧ガス放出穴の挿入溝に挿入される別のテープ支管もある。【選択図】なし【特許請求の範囲】
【請求項１】
以下を持つことを特徴とするパーティーテープポッパー。ネジ式撃針を有する閉鎖プラグが取り付けられ、その内部に加圧ガス注入穴が設置され、さらに、その内部直径に加圧ガスカートリッジが挿入されているガス発生部と、その下端部にて前記加圧ガス注入穴にリンクされ、さらに、その上端部にて加圧ガス放出穴にリンクされた起動穴と、前記起動穴の上部に位置し、その一端で前記ロータリ軸によって起動されるハンドルと、その下部に向かって小さくなる、前記起動穴に設置される突出キー斜面と、前記装置の下部に設置された引き金のバネによって上に向かってトリガされるキーピンと、前記キーピンよりも大きな直径を有し、前記キー斜面の上部に設置されるキーリングと、前記起動穴の上部を閉鎖することによって前記キーピンの上部をその中心に上昇させる昇降穴を有する起動穴プラグと、前記キーリングと前記起動穴プラグとの間の前記キーピンに挿入され、前記加圧ガス放出穴を貫通する複数の貫通長穴を形成する、前記キーピンよりも大きな直径を有するスペーサーと、前記加圧ガス放出穴の端部に挿入溝を有し、かつ前記ガス放出穴の他端にその弾性がバネによって制御される吊りピンを有するテープ支管閉鎖部。
【請求項２】
下記に加えて請求項１に記載のすべての要素を有するパーティーテープポッパー。その両端がスポンジまたは板紙によって閉鎖されている当該テープ支管の閉鎖部の小型の紙ベースのシリンダー。前記シリンダー内部には、複数のマルチカラーテープやペーパーパウダー（紙ふぶき）を含むテープロールがある。また、前記吊りピンを設置可能な挿入穴を有する前記加圧ガス放出穴の挿入溝に挿入される別のテープ支管もある。
【請求項３】
上記テープ支管の挿入溝の前方に細いペーパースクリーンを有し、そのためにそのスクリーンが、上記ポッパーの起動時に前記加圧ガスのロスを最小限に抑えることができるようになっている請求項２におけると同様のパーティーテープポッパー。
【請求項４】
当該ハンドルのキーピンが下がる際に、前記ハンドルのロータリ軸の周囲で前記ピンホールに挿入された前記安全ピンが滑り下がり、爆発される閉鎖球によって中心から離れたところに突出することを特徴とする請求項１におけると同様のパーティーテープポッパー。前記突出安全ピンは前記ハンドルの下降を妨害するため、安全モードを設定することができるようになっている。前記安全ピンは、前記ハンドルのキーピンの下降を可能にする利用モードを設定するため、前記ピンホールにさらに挿入される。
【請求項５】
上記テープ支管の長手方向に沿った不規則表面で形成された内部長溝を有する請求項２におけると同様のパーティーテープポッパー。前記内部長溝に対応する前記加圧ガス放出穴の挿入溝の内部には、前記テープ支管の挿入溝が前記吊りピンに固定されるように誘導する内部突起部がある。
【発明の詳細な説明】
【技術分野】
【０００１】
本発明は、簡単な構造を有し、誤動作の可能性がないパーティーポッパーに関するものであって、特に、その軽量さと使いやすさのため、家庭をはじめとしてどこでも使用できるすばらしいパーティーポッパーに関するものである。
【背景技術】
【０００２】
本発明は、簡単な構造を有し、誤動作の可能性がないパーティーポッパーに関するものであって、特に、その軽量さと使いやすさのため、家庭をはじめとしてどこでも使用できるすばらしいパーティーポッパーに関するものである。
【０００３】
パーティーテープポッパー（リボンポッパーとしても知られている）とは、結婚パーティーや誕生パーティーなどの各種行事で複数のカラーテープやペーパーパウダー（紙ふぶき）とともに爆発する一種のミニ祝砲を意味し、一般的にその行事の中心となる人々を祝い、楽しい雰囲気をもたらすために用いられるものである。
【０００４】
今日のレジャー産業では、各種の祝賀行事やパーティーにてパーティーテープポッパーを利用し、そのポッパーに含まれたカラフルなリボン（テープ）やペーパーパウダー（紙ふぶき）を祝宴にふさわしい音楽とともにパンと鳴らしてポップアウトさせることが行われている。かかる行事で頻繁に使用されているこれらのパーティーポッパーは、空気を加圧するガス式エアガンによってその内容物を爆発させ放出させる構造と同じタイプの構造で構成されている。それらのエアガンのバレル径はおよそ５０ｍｍであり、前記エアガンの引き金を引くことで、一定量の内部圧搾空気がカラフルなテープないしはペーパーパウダー（紙ふぶき）とともに前記バレルから放出されるようになっているが、このタイプのパーティーポッパーに伴う問題点は、前記ポッパーをガスで充填するためには、これらのエアガンを空気で充填するための別個のガスボンベないしは高価な空気加圧ボンベを前記ポッパーとともに購入しなければならないことである。この問題点のため、前記ポッパーを用いるプロセスが複雑となり、事故につながる可能性もある。
【０００５】
したがって、本明細書では、誰もが容易かつ簡単に使用できる新しいタイプのパーティーテープポッパーを提案するものである。予め充填されている加圧ガスを用いてカラフルなテープやペーパーパウダー（紙ふぶき）を放出する既存タイプのパーティーテープポッパーは以下から成る。
【０００６】
そのガス放出バルブの前方に板を有するガスユニットの内側の後部ガスカートリッジ用の撃針と、前記後部ガスカートリッジをブロックするバネ及び内部プラグと、その前部ガスカートリッジ用のネジ式撃針を有する前部プラグと、前記内部プラグと前記前部プラグとの間の前記ガスユニット内部のガスカートリッジと、前記ガスカートリッジのノブをその前方にガイドして、前記ガスが前記カラフルなテープやペーパーパウダー（紙ふぶき）とともに選択的に放出できるようになっている前部ガスカートリッジ。
【０００７】
しかしながら、既存のパーティーテープポッパーは複雑な構造と複数の誤動作可能性を持ち、重い上に生産コストが高いので、その消費者価格が高くなっているため、ほとんどの家族では、そのようなテープポッパーを自宅におけるパーティーに用いるほどの金銭的余裕を持ち得なかった。
【発明の開示】
【０００８】
本発明は前述のかかる問題点を克服するために開発されたものである。本発明の装置は、誤動作の可能性がない、比較的に簡単な構造を持ち、軽量で使いやすく、ホームパーティーで用いて雰囲気を明るくし、かつその雰囲気をさらに盛り上げることができるものである。また、製造コストと購買価格もあまり高くない。
【発明を実施するための最良の形態】
【０００９】
本発明の上記目的を実現させるために、その内部の加圧ガスを用いて前記マルチカラーテープやペーパーパウダー（紙ふぶき）を放出することを目的に設計された本発明のパーティーテープポッパーは、以下から成るものである。ネジ式撃針を有する閉鎖プラグが取り付けられ、その内部に加圧ガス注入穴が設置され、さらに、その内部直径に加圧ガスカートリッジが挿入されているガス発生部と、その下端部にて前記加圧ガス注入穴にリンクされ、さらに、その上端部にて加圧ガス放出穴にリンクされた起動穴と、前記起動穴の上部に位置し、その一端で前記ロータリ軸によって起動されるハンドルと、その下部に向かって小さくなる、前記起動穴に設置される突出キー斜面と、前記装置の下部に設置された引き金のバネによって上に向かってトリガされるキーピンと、前記キーピンよりも大きな直径を有し、前記キー斜面の上部に設置されるキーリングと、前記起動穴の上部を閉鎖することによって前記キーピンの上部をその中心に上昇させる昇降穴を有する起動穴プラグと、前記キーリングと前記起動穴プラグとの間の前記キーピンに挿入され、前記加圧ガス放出穴を貫通する複数の貫通長穴を形成する、前記キーピンよりも大きな直径を有するスペーサーと、前記加圧ガス放出穴の端部に挿入溝を有し、かつ前記ガス放出穴の他端にその弾性がバネによって制御される吊りピンを有するテープ支管閉鎖部。
【００１０】
当該テープ支管の閉鎖部には、その両端がスポンジまたは板紙によって閉鎖されている小型で紙ベースのシリンダーがある。前記シリンダー内部には、複数のマルチカラーテープやペーパーパウダー（紙ふぶき）を含むテープロールがある。また、前記吊りピンを設置可能な挿入穴を有する前記加圧ガス放出穴の挿入溝に挿入される別のテープ支管もある。
【００１１】
上記テープ支管の挿入溝の前方には細いペーパースクリーンがあるので、上記ポッパーの起動時にそのスクリーンにより前記加圧ガスのロスを最小限に抑えることができるようになっている。
【００１２】
当該ハンドルのキーピンが下がると、前記ハンドルのロータリ軸の周囲で前記ピンホールに挿入された前記安全ピンは滑り下がり、爆発される閉鎖球によって中心から離れたところに突出する。前記突出安全ピンは前記ハンドルの下降を妨害するため、安全モードを設定することができるようになっている。前記安全ピンは、前記ハンドルのキーピンの下降を可能にする利用モードを設定するため、前記ピンホールにさらに挿入される。
【００１３】
また、上記テープ支管の長手方向に沿った不規則表面で形成された内部長溝もある。前記内部長溝に対応する前記加圧ガス放出穴の挿入溝の内部には、前記テープ支管の挿入溝が前記吊りピンに固定されるように誘導する内部突起部がある。
【００１４】
本発明のパーティーテープポッパーを本明細書の最終ページに添付の図面を参照して以下の文で詳細に説明する。
【００１５】
図１は本発明のパーティーテープポッパーの起動前のネジ式撃針の側面断面図である。図２は本発明のパーティーテープポッパーの起動時のネジ式撃針の側面断面図である。図３は、図２のＡ部の拡大断面図である。図４は起動後の本発明に係るパーティーテープポッパーの起動ハンドルの側面断面図である。図５は、図４のＢ部の拡大断面図である。図６は本発明に係るパーティーテープポッパーを用いる別の実施例の側面断面図である。図７は前記パーティーテープポッパー内部を充填するテープロールの斜面図である。
【００１６】
本発明のパーティーテープポッパー（１）は、前記ポッパー内に含まれた前記加圧ガスを用いてマルチカラーテープやペーパーパウダー（紙ふぶき）（１４５）を放出するアルミニウムベースの小型爆発物であり、軽金属製の加圧ガスカートリッジ（１２１）と、ガス発生部（１２０）と、前記引き金バネ（４０）によって上昇された前記ハンドル（１１０）上のキーピン（１０）と、前記ガス発生部（１２０）にリンクされた起動穴（１００）と、前記テープロール（１４４）が挿入され固定されるテープ支管（１４０）と、前記起動穴（１００）から供給される前記加圧ガスを誘導させるテープ分岐閉鎖部（１３０）から成るものである。
【００１７】
前記ガス発生部（１２０）の一端には、金属製のネジで固定された閉鎖プラグ（１２２）がある。前記ガス発生部（１２０）の他端には、前記起動穴（１００）にリンクされた加圧ガス注入穴（１２４）がある。前記発生部（１２０）の内部には、加圧ガスカートリッジ（１２１）、金属シリンダーがある。ユーザーが前記閉鎖プラグ（１２２）の前記ネジ式撃針（１２３）を移動し、それをその内部に挿入すると、前記撃針（１２３）の尖端は前記加圧ガスカートリッジ（１２１）の一端に穴を開け、予め前記カートリッジの内部に含ませてある加圧ガス、たとえばＣＯ２を放出して、前記ガス発生部（１２０）の内部を充填する。また、この加圧ガスは、前記起動穴が遮断すると、前記加圧ガス注入穴（１２４）を介して、前記キーピン（１０）のキー斜面（１１）に対してしっかり密閉されている前記キーリング（２０）の真下部分も充填する。
【００１８】
上記起動穴（１００）は、前記キーピン（１０）の起動を可能にするために、前記テープ支管の閉鎖部（１４０）と前記ガス発生部（１２０）との間に形成された空間である。前記穴は、その下部において前記加圧ガス放出穴（１２４）を介して前記ガス発生部（１２０）にリンクされ、その上部において前記加圧ガス放出穴（１０１）を介して前記テープ支管閉鎖部（１４０）にリンクされており、前記ハンドル（１１０）の下部に向かって開放し、金属製の前記起動穴プラグ（５０）によって密閉され、ネジ止めされている。
【００１９】
上記ハンドル（１１０）はアルミニウムバーであり、その一端は前記ロータリ軸（１１１）のおかげで回転可能になっている。前記ハンドルの不規則表面上には前記キーピン（１０）がある。ユーザーが前記ハンドル（１１０）のロータリ軸（１１１）を下方に回転すると、前記加圧ガス放出穴（１０１）が開かれるために、上記不規則表面は前記キーピン（１０）を前記起動穴（１００）から下方に押す。ユーザーが前記ハンドル（１１０）から手を離すと、前記キーピン（１０）の下部に設置された前記引き金バネ（４０）はその弾性により前記キーピン（１０）を再び上方に上昇させて前記ピンをその元の位置に戻す。
【００２０】
上記キーピン（１０）は前記起動穴（１００）設置された金属ピンであり、その中心の周囲ではキー斜面（１１）が小さくなる。前記ピンの下部周囲には上方にトリガする前記引き金バネ（４０）がある（前記起動穴（１００）の上）。前記キーピン（１０）は前記引き金バネ（４０）によって上方にトリガされるが、前記キーリング（２０）に取り付けられた前記キー斜面（１１）は前記起動穴（１００）を密閉する。前記ハンドル（１１０）が前記起動穴プラグ（５０）を介して外側に向かって突出する前記キーピン（１０）を下方に押すと、前記キーピン（１０）のキー斜面（１１）は前記キーリング（２０）から分離される。前記起動穴（１００）直下の前記ガス発生部（１２０）に予め含まれている加圧ガスは、前記キーリング（２０）と、前記スペーサー（３０）と、前記貫通長穴（３１）と、前記加圧ガス発生部（１０１）と、を介して爆発的に放出される。
【００２１】
上記キーリング（２０）は、前記キーピン（１０）よりも大きな直径を有する弾性ゴムリングであり、前記ピン（１０）のキー斜面（１１）に挿入される。前記キーリング（２０）を支持し、その機能を高めるため、金属補助リングが前記キーピン（１０）と直接接触する部分に載置されることが望ましい。
【００２２】
金属製の上記起動穴プラグ（５０）は、ネジによってそれに固定された前記起動穴（１００）を密閉する。前記プラグの中央部には、上昇して前記キーピン（１０）を密閉する昇降穴がある。
【００２３】
上記スペーサー（３０）は、前記キーピン（１０）よりも大きな直径を有する金属シリンダーであり、その側面には、前記加圧ガス放出穴（１０１）にリンクされた複数の貫通長穴（３１）がある。前記キーピン（１０）は、前記キーリング（２０）と前記起動穴プラグ（５０）との間に挿入されて、前記キーリング（２０）と前記起動穴プラグ（５０）との間の前記加圧ガス放出穴（１０１）の開放状態を維持するので、前記ガス発生部（１２０）から供給される加圧ガスを前記加圧ガス放出穴（１０１）を介して前記テープ支管（１３０）に供給できるようになっている。言い換えれば、前記キーピン（１０）は、前記キーリング（２０）が前記加圧ガス放出穴（１０１）を上昇させ、かつブロックすることを防止するのである。
【００２４】
上記テープ支管の閉鎖部（１３０）は、前記加圧ガス放出穴（１０１）の縁部周囲に形成された金属シリンダーである。前記テープ支管（１４０）の一端が挿入される注入溝（１３１）は一端にて形成され、前記テープ支管（１４０）の他端にて前記挿入溝（１４１）に設置される吊りピン（１３２）は前記引き金バネによって固定される。前記吊りピン（１３２）は前記挿入溝（１４１）から分離される。前記吊りピン（１３２）の下部は傾斜形状になっている。テープ支管（１４０）の挿入は、前記ピンが前記支管（１４０）の挿入溝（１４１）に位置するようになるまで、前記吊りピン（１３２）を前記支管（１４０）の外面に沿って上昇させる。前記吊りピン（１３２）は、前記バネ（１３２ａ）の弾性のためにドンと音をたてて前記テープ支管の閉鎖部（１３０）の挿入溝（１４１）に固定される。
【００２５】
内部突起部、または複数の内部突出部は、上記閉鎖部（１３０）内部の長手方向に沿って形成されなければならない。これらの突出部に対応するのは、前記テープ支管（１４０）の縁部に沿って形成された内部長溝（１４６）である。前記テープ分岐部（１４０）が前記閉鎖部（１３０）と結合すると、前記閉鎖部（１３０）の吊りピン（１３２）は前記テープ分岐部の挿入溝（１４１）に挿入され、ユーザーが前記テープ支管（１４０）を前記テープ支管の閉鎖部（１３０）に載置する必要があるときは、前記吊りピン（１３２）が前記挿入溝（１４１）に固定されるように、内部長溝（１４６）と内部突起部（１３４）とを正確に結合させる必要がある。前記テープ支管（１４０）が前記閉鎖部（１３０）に完全に固定された場合のみに、安全装置が前記安全ピン（１１３）を解除することが可能になっている。
【００２６】
上記テープ支管（１４０）は紙ベースのシリンダーであり、その両端は脆弱なスポンジ板（１４２）で密閉されている。図６に示すように、より細いペーパースクリーン（１４３）は前記挿入溝（１４１）の内部に配設してもよい。
【００２７】
さらに、前記ハンドル（１１０）のロータリ軸（１１１）の周囲に形成された前記ピンホール（１１２）に挿入されている前記安全ピン（１１３）が、前記ハンドル（１１０）のキーピン（１０）の下がる際にバネによって（１１５）トリガされる前記閉鎖球（１１４）によって摺動された後に突出する時に、前記ロータリ軸の下方移動を妨害することによってその安全モードを設定することが可能である。また、前記安全ピン（１１３）を前記ピンホール（１１２）に挿入することによってユーザーのモードを設定して、前記ハンドル（１１０）の前記キーピン（１０）の下方移動を可能にすることもできる。
【図面の簡単な説明】
【００２８】
【図１】本発明のパーティーテープポッパーの起動前のネジ式撃針の側面断面図である。
【図２】本発明のパーティーテープポッパーの起動時のネジ式撃針の側面断面図である。
【図３】図２のＡ部の拡大断面図である。
【図４】起動後の本発明に係るパーティーテープポッパーの起動ハンドルの側面断面図である。
【図５】図４のＢ部の拡大断面図である。
【図６】本発明に係るパーティーテープポッパーを用いる別の実施例の側面断面図である。
【図７】前記パーティーテープポッパー内部を充填するテープロールの斜面図である。
【符号の説明】
【００２９】
*前記図面における主要部品の標識記号の説明*
１：パーティーテープポッパー                １０：キーピン
１１：キー斜面                              ２０：キーリング
３０：スペーサー                            ３１：貫通長穴（ＬＰＨ）
４０：引き金バネ                            ５０：起動穴プラグ（ＡＨＰ）
５１：昇降穴                                １００：起動穴
１０１：加圧ガス放出穴                      １１０：ハンドル
１１１：ロータリ軸                          １１２：ピンホール
１１３：安全ピン                            １１４：閉鎖球
１１５：バネ                                １２０：ガス発生部（ＧＤＰ）
１２１：加圧ガスカートリッジ（ＰＧＣ）      １２２：閉鎖プラグ
１２３：ネジ式撃針（ＳＦＰ）                １２４：加圧ガス注入穴（ＰＧＩＨ）
１３０：テープ支管閉鎖部（ＴＢＰＣ）        １３１：注入溝
１３２：吊りピン                            １３２ａ：バネ
１３４：内部突起部                          １４０：テープ支管（ＴＢＰ）
１４１：挿入溝                              １４２：発泡スチロールピン
１４３：ペーパースクリーン                  １４４：テープロール
１４５：マルチカラーテープやペーパーパウダー（紙ふぶき）
１４６：内部長溝
【図１】
2008540997.tif 000002
【図２】
2008540997.tif 000003
【図３】
2008540997.tif 000004
【図４】
2008540997.tif 000005
【図５】
2008540997.tif 000006
【図６】
2008540997.tif 000007
【図７】
2008540997.tif 000008
【国際調査報告】
2008540997.tif 000009